(57)【要約】【課題】フレキシブルコンテナバッグから内容物を排出する際に飛散を抑える。【解決手段】フレキシブルコンテナバッグは、本体部と垂れ下がり部とを有する。本体部は、開口部と底部５Ｂとを有する袋体５と、袋体５と一体的に設けられる吊り下げ部８０と、を備え、吊り下げ部８０が支持されつつ袋体５が吊り下げられた吊り下げ状態のときに開口部が上方側とされ底部が下方側とされる。垂れ下がり部は、本体部が吊り下げ状態のときに袋体５内の収容領域の直下領域を囲むように垂れ下がる。【選択図】図１
2020138737.tif 000002
【特許請求の範囲】
【請求項１】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の外面部に対して固定又は一体化された構成をなす
フレキシブルコンテナバッグ。
【請求項２】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部に対して外側から着脱自在とされている
フレキシブルコンテナバッグ。
【請求項３】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の内部に固定された構成又は前記本体部の内部に取り付けられる構成をなし、
前記底部は、排出の際に破かれる対象部位又は切断される対象部位であり、
前記垂れ下がり部は、前記吊り下げ状態において前記底部が破かれた開放状態又は前記底部が切断された開放状態のときに、前記袋体の内部から前記底部の開放部を介して下方に垂れ下がりつつ前記直下領域を囲むように配置される
フレキシブルコンテナバッグ。
【請求項４】
前記垂れ下がり部は、可撓性を有し、一端側が前記本体部の外面部又は内面部に対して直接的に又は他部材を介して間接的に取り付けられるシート体を有し、
前記垂れ下がり部は、少なくとも前記吊り下げ状態において前記底部が開放した状態のときに、前記シート体が前記袋体の下方に垂れ下がりつつ前記直下領域を囲む
請求項１から請求項３のいずれか一項に記載のフレキシブルコンテナバッグ。
【請求項５】
前記垂れ下がり部は、前記本体部の外面部又は内面部に対して直接的に又は他部材を介して間接的に取り付けられる帯状部を複数有し、
前記垂れ下がり部は、少なくとも前記吊り下げ状態において前記底部が開放した状態のときに、複数の前記帯状部の各々が前記袋体の下方に垂れ下がり、複数の前記帯状部が前記直下領域を囲む
請求項１から請求項４のいずれか一項に記載のフレキシブルコンテナバッグ。
【請求項６】
前記垂れ下がり部は、一端側が前記シート体に取り付けられる帯状部を複数有し、
少なくとも前記吊り下げ状態において前記底部が開放した状態のときに、複数の前記帯状部の各々が前記シート体の下方に垂れ下がり、複数の前記帯状部が前記直下領域を囲む
請求項４に記載のフレキシブルコンテナバッグ。
【請求項７】
請求項１から請求項６のいずれか一項に記載のフレキシブルコンテナバッグを用い、
前記本体部の前記吊り下げ部を支持しつつ前記袋体を吊り下げ、前記収容領域の下方側に前記底部を配置した前記吊り下げ状態とする吊り下げ工程と、
前記垂れ下がり部を前記本体部に取り付ける工程又は前記垂れ下がり部を前記本体部と一体的に構成する工程を含む準備工程と、
前記吊り下げ工程及び前記準備工程の後に前記袋体の前記底部を開放し、前記直下領域の下方に前記垂れ下がり部を垂らしつつ前記垂れ下がり部によって前記直下領域を囲んだ状態で前記袋体に収容された収容物の少なくとも一部を前記袋体から前記直下領域に向けて落とす開放工程と、
を行うフレキシブルコンテナバッグ内の収容物の排出方法。
【請求項８】
前記垂れ下がり部は、前記袋体とは別体として構成されたものであり、
前記準備工程では、前記本体部の外面部に対して前記垂れ下がり部を取り付ける
請求項７に記載のフレキシブルコンテナバッグ内の収容物の排出方法。
【請求項９】
前記準備工程では、前記本体部の内面部に対して前記垂れ下がり部を直接的に又は他部材を介して間接的に取り付け、
前記開放工程では、前記袋体の前記底部を切る工程又は前記底部を破る工程により前記底部を開放し、前記切る工程又は前記破る工程によって生じた前記底部の開放部を介して前記垂れ下がり部を前記直下領域の下方に垂らしつつ前記垂れ下がり部によって前記直下領域を囲んだ状態で前記袋体に収容された収容物の少なくとも一部を前記袋体から前記直下領域に向けて落とす
請求項７に記載のフレキシブルコンテナバッグ内の収容物の排出方法。
【請求項１０】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、を有するフレキシブルコンテナバッグに用いられる飛散防止部材であって、
前記本体部に対して外側から着脱自在とされた垂れ下がり部を有し、
前記垂れ下がり部は、前記本体部が前記吊り下げ状態のときに前記袋体内の収容領域の直下領域を囲むように垂れ下がった状態で配置される
フレキシブルコンテナバッグ用の飛散防止部材。
【発明の詳細な説明】
【技術分野】
【０００１】
本開示は、フレキシブルコンテナバッグ、フレキシブルコンテナバッグ内の収容物の排出方法、及びフレキシブルコンテナバッグ用の飛散防止部材に関するものである。
【背景技術】
【０００２】
フレキシブルコンテナバッグは、粉末状或いは粒状の材料、土砂、廃棄物、食糧などの運搬、保管などに用いられる。フレキシブルコンテナバッグを使用する場合、例えば、投入口（開放口）から粉末や粒状物を入れ、投入口を閉じて運搬、保管などを行うことが一般的である。ブルコンテナバッグ内の収容物を排出する方法は様々であるが、例えば、バッグに備えられた吊りベルトをフォークリフトなどに引っかけてバッグ全体を吊り下げ、その状態でバッグ底部を破ったり、開放したりして底部側から内容物を下方に落とす。
【先行技術文献】
【特許文献】
【０００３】
【特許文献１】特開２０１６−３３４８５号公報
【発明の概要】
【発明が解決しようとする課題】
【０００４】
この種のフレキシブルコンテナバッグを使用する場合、バッグ内に収容された内容物を排出する際の飛散が問題となる。例えば、バッグを吊り下げた状態でバッグ底部を破ったり開放したりして内容物を落とすと、排出物（内容物）が落下中や落下後にまき上がったり、飛び散ったり、風に流されたりしてバッグの直下から外れた領域に飛散する懸念がある。
【０００５】
そこで、上述した課題の少なくとも一つを解決するために、フレキシブルコンテナバッグから内容物を排出する際に効果的に飛散を抑え得る技術を提供する。
【課題を解決するための手段】
【０００６】
本開示の一つであるフレキシブルコンテナバッグは、
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の外面部に対して固定又は一体化された構成をなす。
【０００７】
本開示の一つであるフレキシブルコンテナバッグは、
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部に対して外側から着脱自在とされている。
【０００８】
本開示の一つであるフレキシブルコンテナバッグは、
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の内部に固定された構成又は前記本体部の内部に取り付けられる構成をなし、
前記底部は、排出の際に破かれる対象部位又は切断される対象部位であり、
前記垂れ下がり部は、前記吊り下げ状態において前記底部が破かれた開放状態又は前記底部が切断された開放状態のときに、前記袋体の内部から前記底部の開放部を介して下方に垂れ下がりつつ前記直下領域を囲むように配置される。
【０００９】
本開示の一つであるフレキシブルコンテナバッグ内の収容物の排出方法は、
上記いずれかのフレキシブルコンテナバッグを用い、
前記本体部の前記吊り下げ部を支持しつつ前記袋体を吊り下げ、前記収容領域の下方側に前記底部を配置した前記吊り下げ状態とする吊り下げ工程と、
前記垂れ下がり部を前記本体部に取り付ける工程又は前記垂れ下がり部を前記本体部と一体的に構成する工程を含む準備工程と、
前記吊り下げ工程及び前記準備工程の後に前記袋体の前記底部を開放し、前記直下領域の下方に前記垂れ下がり部を垂らしつつ前記垂れ下がり部によって前記直下領域を囲んだ状態で前記袋体に収容された収容物の少なくとも一部を前記袋体から前記直下領域に向けて落とす開放工程と、
を行う。
【００１０】
本開示の一つであるフレキシブルコンテナバッグ用の飛散防止部材は、
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、を有するフレキシブルコンテナバッグに用いられる飛散防止部材であって、
前記本体部に対して外側から着脱自在とされた垂れ下がり部を有し、
前記垂れ下がり部は、前記本体部が前記吊り下げ状態のときに前記袋体内の収容領域の直下領域を囲むように垂れ下がった状態で配置される。
【発明の効果】
【００１１】
本開示によれば、フレキシブルコンテナバッグから内容物を排出する際に効果的に飛散を抑えることができる。
【図面の簡単な説明】
【００１２】
【図１】図１は、第１実施形態のフレキシブルコンテナバッグが吊り下げ装置に吊り下げられた状態を例示する説明図である。
【図２】図２は、第１実施形態のフレキシブルコンテナバッグの底面図である。
【図３】図３は、第１実施形態のフレキシブルコンテナバッグが吊り下げ装置に吊り下げられ、垂れ下がり部が本体部の下方に垂れ下がった状態を例示する説明図である。
【図４】図４は、第１実施形態のフレキシブルコンテナバッグを用いた排出方法に関し、開放工程後に内容物が排出されている状態を例示する説明図である。
【図５】図５は、第２実施形態のフレキシブルコンテナバッグを例示する斜視図である。
【図６】図６は、第２実施形態のフレキシブルコンテナバッグの平面図である。
【図７】図７は、第２実施形態のフレキシブルコンテナバッグが吊り下げ装置に吊り下げられた状態を例示する説明図である。
【図８】図８は、第２実施形態のフレキシブルコンテナバッグを用いた排出方法に関し、開放工程後のフレキシブルコンテナバッグの様子を例示する説明図である。
【図９】図９は、第３実施形態のフレキシブルコンテナバッグの平面図である。
【図１０】図１０は、第３実施形態のフレキシブルコンテナバッグが吊り下げ装置に吊り下げられた状態を例示する説明図である。
【図１１】図１１は、第４実施形態のフレキシブルコンテナバッグの一部（本体部）が吊り下げ装置に吊り下げられた状態等を例示する説明図である。
【図１２】図１２は、第５実施形態のフレキシブルコンテナバッグが吊り下げ装置に吊り下げられ、垂れ下がり部が本体部の下方に垂れ下がった状態を例示する説明図である。
【図１３】図１３は、第６実施形態のフレキシブルコンテナバッグが吊り下げ装置に吊り下げられ、垂れ下がり部が本体部の下方に垂れ下がった状態を例示する説明図である。
【図１４】図１４は、第７実施形態のフレキシブルコンテナバッグが吊り下げ装置に吊り下げられ、垂れ下がり部が本体部の下方に垂れ下がった状態を例示する説明図である。
【発明を実施するための形態】
【００１３】
本開示の実施態様の一例を列記して説明する。
【００１４】
本開示の一つであるフレキシブルコンテナバッグは、開口部と底部とを有する袋体と、袋体と一体的に設けられる吊り下げ部と、を備え、吊り下げ部が支持されつつ袋体が吊り下げられた吊り下げ状態のときに開口部が上方側とされ底部が下方側とされる本体部と、本体部が吊り下げ状態のときに袋体内の収容領域の直下領域を囲むように垂れ下がる垂れ下がり部と、を有する構成とすることができる。そして、垂れ下がり部は、本体部の外面部に対して固定又は一体化された構成とすることができる。
このように構成されたフレキシブルコンテナバッグは、本体部が吊り下げ状態のときに袋体内の収容領域の直下領域を囲むように垂れ下がり部が垂れ下がるため、この状態で定部を開放すれば、直下領域の外側に内容物が飛散することを抑えながら、内容物を本体部から直下領域に落とすことができる。しかも、垂れ下がり部は、本体部の外面部に対して固定又は一体化された構成をなすため、このような垂れ下がり部の内側で底部を開放すれば、内容物を落とす際に垂れ下がり部が落下の邪魔になりにくい。
【００１５】
本開示の一つであるフレキシブルコンテナバッグは、開口部と底部とを有する袋体と、袋体と一体的に設けられる吊り下げ部と、を備え、吊り下げ部が支持されつつ袋体が吊り下げられた吊り下げ状態のときに開口部が上方側とされ底部が下方側とされる本体部と、本体部が吊り下げ状態のときに袋体内の収容領域の直下領域を囲むように垂れ下がる垂れ下がり部と、を有する構成とすることができる。そして、垂れ下がり部は、本体部に対して外側から着脱自在とされた構成とすることができる。
このように構成されたフレキシブルコンテナバッグは、本体部が吊り下げ状態のときに袋体内の収容領域の直下領域を囲むように垂れ下がり部が垂れ下がるため、この状態で定部を開放すれば、直下領域の外側に内容物が飛散することを抑えながら、内容物を本体部から直下領域に落とすことができる。しかも、垂れ下がり部は、本体部に対して外側から着脱自在とされているため、任意のタイミングで垂れ下がり部を取り付けることができる。
【００１６】
本開示の一つであるフレキシブルコンテナバッグは、開口部と底部とを有する袋体と、袋体と一体的に設けられる吊り下げ部と、を備え、吊り下げ部が支持されつつ袋体が吊り下げられた吊り下げ状態のときに開口部が上方側とされ底部が下方側とされる本体部と、
本体部が吊り下げ状態のときに袋体内の収容領域の直下領域を囲むように垂れ下がる垂れ下がり部と、を有する構成とすることができる。そして、垂れ下がり部は、本体部の内部に固定された構成又は本体部の内部に取り付けられる構成とすることができる。そして、底部は、排出の際に破かれる対象部位又は切断される対象部位とすることができる。そして、そして、垂れ下がり部は、吊り下げ状態において底部が破かれた開放状態又は底部が切断された開放状態のときに、袋体の内部から底部の開放部を介して下方に垂れ下がりつつ直下領域を囲むように配置される構成とすることができる。
このように構成されたフレキシブルコンテナバッグは、吊り下げ状態において底部が破かれた開放状態又は底部が切断された開放状態のときに、垂れ下がり部は、袋体の内部から底部の開放部を介して下方に垂れ下がりつつ直下領域を囲むように配置される。よって、底部が破かれたり切断されたりして開放された場合に、収容領域の直下の領域よりも外側に内容物が飛散することを抑えながら、内容物を落とすことができる。しかも、底部が破かれたり切断されたりする前は、本体部内に垂れ下がり部を収容した状態で管理することができる。
【００１７】
本開示のフレキシブルコンテナバッグにおいて、垂れ下がり部は、可撓性を有し、一端側が本体部の外面部又は内面部に対して直接的に又は他部材を介して間接的に取り付けられるシート体を有していてもよい。そして、垂れ下がり部は、少なくとも吊り下げ状態において底部が開放した状態のときに、シート体が袋体の下方に垂れ下がりつつ上記直下領域を囲む構成であってもよい。
このように構成されたフレキシブルコンテナバッグは、可撓性を有するシート体によって直下領域を囲みながら内容物を排出することができるため、直下領域の外側に内容物が飛散することをより効果的に抑えることができる。
【００１８】
本開示のフレキシブルコンテナバッグにおいて、垂れ下がり部は、本体部の外面部又は内面部に対して直接的に又は他部材を介して間接的に取り付けられる帯状部を複数有していてもよい。そして、垂れ下がり部は、少なくとも吊り下げ状態において底部が開放した状態のときに、複数の帯状部の各々が袋体の下方に垂れ下がり、複数の帯状部が上記直下領域を囲む構成であってもよい。
このように、複数の帯状部を垂らすような構成であれば、垂れ下がり部の全体が垂れ下がらないような不具合が生じにくくなる。例えば、いずれかの帯状部が本体部などにひっかかって本体部の下方に垂れ下がらないような事態が発生したとしても、このような事態が生じていない他の帯状部は本体部の下方に垂れ下がるように配置されるため、不具合が生じていない残りの帯状部によって飛散防止の機能を果たすことができる。
【００１９】
本開示のフレキシブルコンテナバッグにおいて、垂れ下がり部は、一端側がシート体に取り付けられる帯状部を複数有していてもよい。そして、少なくとも吊り下げ状態において底部が開放した状態のときに、複数の帯状部の各々がシート体の下方に垂れ下がり、複数の帯状部が上記直下領域を囲むように構成されていてもよい。このようにすれば、直下領域の上側ではシート体によって内容物の飛散をより効果的に抑えることができ、直下領域の下側でも、複数の帯状部によって内容物の飛散を防ぐことができる。
【００２０】
本開示の一つであるフレキシブルコンテナバッグ内の収容物の排出方法は、上記したいずれかのフレキシブルコンテナバッグを用いることができる。そして、この排出方法では、本体部の吊り下げ部を支持しつつ袋体を吊り下げ、収容領域の下方側に底部を配置した吊り下げ状態とするように吊り下げ工程を行ってもよい。更に、この排出方法では、垂れ下がり部を本体部に取り付ける工程又は垂れ下がり部を本体部と一体的に構成する工程を含むように準備工程を行ってもよい。更に、この排出方法では、吊り下げ工程及び準備工程の後に袋体の底部を開放し、直下領域の下方に垂れ下がり部を垂らしつつ垂れ下がり部によって直下領域を囲んだ状態で袋体に収容された収容物の少なくとも一部を袋体から直下領域に向けて落とすように開放工程を行ってもよい。
このような排出方法によれば、フレキシブルコンテナバッグから内容物を排出する際に効果的に飛散を抑えることができる。しかも、飛散防止のために大掛かりな器具や装置を配置しなくても済み、作業性も高まる。
【００２１】
本開示の一つの排出方法において、垂れ下がり部は、袋体とは別体として構成されていてもよい。そして、準備工程では、本体部の外面部に対して垂れ下がり部を取り付けてもよい。
このような排出方法によれば、任意の時期に垂れ下がり部を取り付けることができるようになる。
【００２２】
本開示の一つの排出方法において、準備工程では、本体部の内面部に対して垂れ下がり部を直接的に又は他部材を介して間接的に取り付けてもよい。そして、開放工程では、袋体の底部を切る工程又は底部を破る工程により底部を開放し、切る工程又は破る工程によって生じた底部の開放部を介して垂れ下がり部を直下領域の下方に垂らしつつ垂れ下がり部によって直下領域を囲んだ状態で袋体に収容された収容物の少なくとも一部を袋体から直下領域に向けて落とすようにしてもよい。
このような排出方法によれば、切る工程又は破る工程を行う前までは本体部内に垂れ下がり部を配置した状態で管理することができる。
【００２３】
[第１実施形態]
１．フレキシブルコンテナバッグの構成
第１実施形態に係るフレキシブルコンテナバッグ１等について説明する。
図１で示すフレキシブルコンテナバッグ１（以下、単にバッグ１ともいう）は、主に、本体部２と垂れ下がり部１０とを有する。本体部２は、開口部５Ｃと底部５Ｂとを具備する袋体５と、袋体５と一体的に設けられる吊り下げ部８０と、を備える。本体部２は、図１のように吊り下げ部８０が支持されつつ袋体５が吊り下げられた吊り下げ状態のときに開口部５Ｃが上方側とされ底部５Ｂが下方側とされるものである。垂れ下がり部１０は、図３のように本体部２が吊り下げ状態となり且つ自身が正規の使用状態となったとき（本体部２から下方に垂れ下がる状態となったとき）に袋体５内の収容領域の直下領域を囲むように垂れ下がるものである。
【００２４】
袋体５は、可撓性を有するシート状の材料によって構成されている。袋体５の材料としては、樹脂、繊維、紙などの公知の様々な材料を用いることができる。袋体５は、図１のような膨らんだ状態（内部空間を大きく確保した状態）や畳んだ状態（図示省略）に変化し得るものであり、内部に収容物を収容した場合には図１のような膨らんだ状態となる。袋体５は、外面部５Ａと底部５Ｂと開口部５Ｃとを備える。
【００２５】
底部５Ｂは、図１のような吊り下げ状態且つ袋体５の内部に収容物が収容されているときに底面を構成する部分であり、収容物を下方側から支持する部分である。図２は、袋体５が膨らんだ状態ときの本体部２の底面図を概略的に示すものであり、袋体５が膨らんだ状態で本体部２が吊り下げ状態となっているときの本体部２を鉛直下方側から見た様子を概略的に示している。
【００２６】
外面部５Ａは、図１のような吊り下げ状態で袋体５の内部に収容物が収容されているときに底部５Ｂの上側に配置され且つ内容物の周囲を囲むように配置される部分である。
【００２７】
開口部５Ｃは、袋体５の内部に収容物を投入するための投入口となる部分である。開口部５Ｃの開口形状は、収容物を投入し得る形状であれば特に限定されない。図１、図３の例では開口部５Ｃが開放状態となっているが、開口部５Ｃは、閉じることができる構成であってもよい。例えば、開口部５Ｃを束ねて閉塞し得る構成であってもよく、図示しない蓋体によって開口部５Ｃを閉塞し得る構成となっていてもよい。
【００２８】
吊り下げ部８０は、紐状あるいは帯状に構成された細長の可撓性部材であり、図１の例では２本の吊り下げベルト８１，８２によって構成されている。吊り下げ部８０は、図１のように２本の吊り下げベルト８１，８２を支持部（図１の例ではクレーン１００のフック１０２）に引っ掛けて本体部２を吊り下げ状態としたときに開口部５Ｃが底部５Ｂよりも上位置に配置され底部５Ｂが下向きとなるように設置されている。具体的には、吊り下げベルト８１が袋体５の外面部５Ａにおける上端側の２部位に固定されつつこの２部位の間を架け渡すように配置されている。同様に、吊り下げベルト８２が袋体５の外面部５Ａにおける上端側の２部位に固定されつつこの２部位の間を架け渡すように配置されている。
【００２９】
垂れ下がり部１０は、本体部２の外面部５Ａに対して固定又は一体化された構成とすることができる。図１、図３の例では、垂れ下がり部１０の端部が本体部２の外面部５Ａに固定されている。図３のように垂れ下がり部１０が外面部５Ａに固定される構成とする場合、垂れ下がり部１０は、本体部２に対して外側から着脱自在とされていてもよく、着脱不能とされていてもよい。垂れ下がり部１０が外面部５Ａに着脱不能に固定される構成としては、例えば、接着剤等の接着媒体によって垂れ下がり部１０の端部近傍が外面部５Ａに固定されていてもよく、垂れ下がり部１０の端部近郷が外面部５Ａに縫い付けられていてもよく、その他の固定方法であってもよい。垂れ下がり部１０が外面部５Ａに着脱可能に固定される構成としては、例えば、垂れ下がり部１０の端部近傍及び外面部５Ａのそれぞれの位置に面ファスナーを設けておき、面ファスナー同士の圧着及び離間によって着脱可能としてもよい。或いは、後述する図１１と同様の構成とし、垂れ下がり部１０の上端部付近を外面部５Ａに巻くように縛り付けてもよく、その他の着脱可能構造としてもよい。
【００３０】
図１、図３のように垂れ下がり部１０は、可撓性を有し、一端側が本体部２の外面部５Ａに取り付けられるシート体１２を有する。シート体１２の材料としては、樹脂、繊維、紙などの公知の様々な材料を用いることができる。
【００３１】
図１では、垂れ下がり部１０が初期状態のときの様子を例示している。初期状態とは、垂れ下がり部１０が使用状態になる前の状態であり、具体的には垂れ下がり部１０が裏返された状態で袋体５の外面部５Ａを囲むようにコンパクトに畳まれた状態である。後述する複数の帯状部１４は、垂れ下がり部１０が初期状態のときにシート体１２と袋体５の間に挟まれる形でまとめられている。図１で示す初期状態では、複数の接続部１６によってシート体１２の所定部位１２Ｂ（固定部位１２Ａとは反対側の部位）と外面部５Ａの所定高さの部位５Ｅとを連結し、シート体１２を裏返した状態かつ部位１２Ｂを開口部５Ｃ側に近づけた状態で維持している。このような初期状態のときに接続部１６による接続が解除されると、図１の状態から図３の状態に変化することが可能となり、垂れ下がり部１０を本体部２の下方に垂下させることができる。なお、初期状態の解除は、接続部１６を切断する方法であってもよく、接続部１６を上記部位５Ｅから取り外す方法であってもよい。
【００３２】
図３では、垂れ下がり部１０が使用状態のときの様子を例示している。図３の例では、袋体５の外面部５Ａにおける下端側の所定部位に対し、細長に構成された可撓性のシート体１２が巻かれており、シート体１２の一辺（長辺）近傍の固定部位１２Ａが外面部５Ａに直接的に取り付けられている。具体的には、シート体１２の端部近傍の固定部位１２Ａが接着剤等の接着媒体によって外面部５Ａに固定されていてもよく、固定部位１２Ａが外面部５Ａに縫い付けられていてもよく、その他の固定方法で固定されていてもよい。なお、図３では、シート体１２の固定部位１２Ａが外面部５Ａに接触するようにシート体１２が外面部５Ａに直接的に取り付けられた例を示したが、シート体１２が他部材を介して間接的に外面部５Ａに取り付けられていてもよい。
【００３３】
図３のように、本体部２が吊り下げ状態となっているときに垂れ下がり部１０が使用状態であれば、シート体１２が袋体５の下方に垂れ下がりつつ直下領域（袋体５内の収容領域の直下の領域）を囲むように配置される。
【００３４】
図３のように、垂れ下がり部１０は、複数の帯状部１４を有する。複数の帯状部１４は、本体部２の外面部５Ａ対して他部材（シート体１２）を介して間接的に取り付けられる。複数の帯状部１４は、シート体１２の一辺近傍（固定部位１２Ａとは反対側の部位１２Ｂ）に対してそれぞれの一端側が位置をずらして固定されている。図３のような使用状態のときには、複数の帯状部１４の各々がシート体１２の下方に垂れ下がり、複数の帯状部１４が直下領域（袋体５内の収容領域の直下の領域であり、具体的にはシート体１２が囲む空間の直下の領域）を囲むように構成されている。
【００３５】
１−２．排出方法
次に、フレキシブルコンテナバッグ１を用いる場合の排出方法を説明する。
フレキシブルコンテナバッグ１を用いた排出方法では、主に、吊り下げ工程と、準備工程と、開放工程と、を行う。
【００３６】
吊り下げ工程では、本体部２の吊り下げ部８０を支持しつつ袋体５を吊り下げ、収容領域の下方側に底部５Ｂを配置した吊り下げ状態とする。
【００３７】
準備工程では、垂れ下がり部１０を本体部２に取り付ける工程を行う。この準備工程は、吊り下げ工程の前に行ってもよく、吊り下げ工程の後に行ってもよく、吊り下げ工程と並行して行ってもよい。
【００３８】
例えば、垂れ下がり部１０が袋体５とは別体として構成されている場合、準備工程では、任意の時期に準備工程を行い、本体部２の外面部５Ａに垂れ下がり部１０を取り付けることができる。
【００３９】
開放工程は、吊り下げ工程及び準備工程の後に袋体５の底部５Ｂを開放する工程である。この開放工程では、直下領域の下方に垂れ下がり部１０を垂らしつつ垂れ下がり部１０によって直下領域を囲んだ状態で袋体５に収容された収容物の少なくとも一部を袋体５から直下領域に向けて落とす。
【００４０】
本構成では、図４のように、吊り下げ状態において底部５Ｂが開放した状態のときに、シート体１２が袋体５の下方に垂れ下がりつつ直下領域（袋体５内の収容領域の直下の領域）を囲む構成となっており、更には、複数の帯状部１４の各々がシート体１２の下方に垂れ下がり、複数の帯状部１４も直下領域を囲むようになっている。
【００４１】
１−３．効果の例
本構成のフレキシブルコンテナバッグ１は、本体部２が吊り下げ状態のときに袋体５内の収容領域の直下領域を囲むように垂れ下がり部１０が垂れ下がるため、この状態で定部を開放すれば、直下領域の外側に内容物が飛散することを抑えながら、内容物を本体部２から直下領域に落とすことができる。しかも、本体部２の外面部５Ａに垂れ下がり部１０が固定された構成であれば、図３のような使用状態のときに垂れ下がり部１０の内側で底部５Ｂを開放する際（即ち、内容物を落とす際）に垂れ下がり部１０が落下の邪魔になりにくい。
【００４２】
垂れ下がり部１０は、本体部２に対して外側から着脱自在とされていてもよい。このようにすれば、任意のタイミングで垂れ下がり部１０を取り付けることができるようになる。
【００４３】
垂れ下がり部１０は、可撓性を有し、一端側が本体部２の外面部５Ａ又は内面部に対して直接的に又は他部材を介して間接的に取り付けられるシート体１２を有する。そして、垂れ下がり部１０は、少なくとも吊り下げ状態において底部５Ｂが開放した状態のときに、シート体１２が袋体５の下方に垂れ下がりつつ上記直下領域を囲む構成となっている。このように構成されたフレキシブルコンテナバッグ１は、可撓性を有するシート体１２によって直下領域を囲みながら内容物を排出することができるため、直下領域の外側に内容物が飛散することをより効果的に抑えることができる。
【００４４】
垂れ下がり部１０は、本体部２の外面部５Ａに対して他部材（シート体１２）を介して間接的に取り付けられる帯状部１４を複数有している。そして、垂れ下がり部１０は、少なくとも図４のような状態（吊り下げ状態において底部５Ｂが開放した状態）のときに、複数の帯状部１４の各々が袋体５の下方に垂れ下がり、複数の帯状部１４が上記直下領域を囲む構成となっている。このように、複数の帯状部１４を垂らすような構成であれば、垂れ下がり部１０の全体が垂れ下がらないような不具合が生じにくくなる。例えば、いずれかの帯状部１４が本体部２などにひっかかって本体部２の下方に垂れ下がらないような事態が発生したとしても、このような事態が生じていない他の帯状部１４は本体部２の下方に垂れ下がるように配置されるため、不具合が生じていない残りの帯状部１４によって飛散防止の機能を果たすことができる。
【００４５】
より具体的には、少なくとも吊り下げ状態において底部５Ｂが開放した状態のときに、複数の帯状部１４の各々がシート体１２の下方に垂れ下がり、複数の帯状部１４が上記直下領域を囲むように構成されている。このようにすれば、直下領域の上側ではシート体１２によって内容物の飛散をより効果的に抑えることができ、直下領域の下側でも、複数の帯状部１４によって内容物の飛散を防ぐことができる。
【００４６】
上記フレキシブルコンテナバッグ１を用いた排出方法によれば、フレキシブルコンテナバッグ１から内容物を排出する際に効果的に飛散を抑えることができる。しかも、飛散防止のために大掛かりな器具や装置を配置しなくても済み、作業性も高まる。
【００４７】
また、垂れ下がり部１０は、袋体５とは別体として構成されていてもよい。そして、準備工程では、本体部２の外面部５Ａに対して垂れ下がり部１０を取り付けてもよい。このような排出方法によれば、任意の時期に垂れ下がり部１０を取り付けることができるようになる。
【００４８】
[第２実施形態]
２−１．第２実施形態に係るフレキシブルコンテナバッグ２０１等について説明する。
図５で示すフレキシブルコンテナバッグ２０１（以下、単にバッグ２０１ともいう）は、主に、本体部２０２と垂れ下がり部２１０とを有する。本体部２０２は、第１実施形態のバッグ１の本体部２と同一の構成をなす。本体部２０２は、開口部５Ｃと底部５Ｂとを具備する袋体５と、袋体５と一体的に設けられる吊り下げ部８０と、を備える。本体部２０２は、図７、図８のように吊り下げ部８０が支持されつつ袋体５が吊り下げられた吊り下げ状態のときに開口部５Ｃが上方側とされ底部５Ｂが下方側とされるものである。袋体５は、第１実施形態のバッグ１の袋体５と同一の構成をなす。吊り下げ部８０は、第１実施形態のバッグ１の吊り下げ部８０と同一の構成をなす。
【００４９】
垂れ下がり部２１０は、図８のように本体部２０２が吊り下げ状態となり且つ自身が正規の使用状態となったとき（底部５Ｂが開放されて本体部２０２から下方に垂れ下がる状態となったとき）に袋体５内の収容領域の直下領域を囲むように垂れ下がるものである。
【００５０】
図６のように、垂れ下がり部２１０は、本体部２の内部に固定された構成をなす。そして、底部５Ｂは、排出の際に破かれる対象部位又は切断される対象部位となっている。垂れ下がり部１０は、図８のような使用状態（吊り下げ状態において底部５Ｂが破かれた開放状態又は底部５Ｂが切断された開放状態）のときに、袋体５の内部から底部５Ｂの開放部を介して下方に垂れ下がりつつ直下領域（袋体５の収容領域の直下の領域）を囲むように配置される。
【００５１】
垂れ下がり部２１０は、本体部２の内面部に対して直接的に取り付けられる帯状部２１４を複数有する。垂れ下がり部２１０は、少なくとも図８のような使用状態（吊り下げ状態において底部５Ｂが開放した状態）のときに複数の帯状部２１４の各々が袋体５の下方に垂れ下がり、複数の帯状部２１４が上記直下領域を囲むような構成となっている。なお、図６の例では、帯状部２１４が本体部２の内面部に直接的に取り付けられているが、帯状部２１４が他部材を介して間接的に内面部に取り付けられていてもよい。
【００５２】
２−２．排出方法
次に、フレキシブルコンテナバッグ２０１を用いた排出方法を説明する。
フレキシブルコンテナバッグ２０１を用いた排出方法では、主に、吊り下げ工程と、準備工程と、開放工程と、を行う。
【００５３】
吊り下げ工程では、本体部２０２の吊り下げ部８０を支持しつつ袋体５を吊り下げ、収容領域の下方側に底部５Ｂを配置した吊り下げ状態とする。
【００５４】
準備工程では、垂れ下がり部２１０を本体部２０２に取り付ける工程を行う。準備工程では、本体部２０２の内面部に対して垂れ下がり部２１０を直接的に又は他部材を介して間接的に取り付ける。具体的には、複数の帯状部２１４の各々の一端を本体部２０２の内面部に対して位置をずらしつつ取り付ける。この準備工程は、吊り下げ工程の前に行ってもよく、吊り下げ工程の後に行ってもよく、吊り下げ工程と並行して行ってもよい。実際は、吊り下げ工程の前に予め行っておくことが望ましい。
【００５５】
開放工程は、吊り下げ工程及び準備工程の後に袋体５の底部５Ｂを開放する工程である。この開放工程では、直下領域の下方に垂れ下がり部２１０を垂らしつつ垂れ下がり部２１０によって直下領域を囲んだ状態で袋体５に収容された収容物の少なくとも一部を袋体５から直下領域に向けて落とす。なお、図８は、収容物を落としている途中の様子を概念的に示している。この開放工程では、袋体５の底部５Ｂを切る工程又は底部５Ｂを破る工程により底部５Ｂを開放し、切る工程又は破る工程によって生じた底部５Ｂの開放部を介して垂れ下がり部２１０を直下領域の下方に垂らしつつ垂れ下がり部２１０によって直下領域を囲んだ状態で袋体５に収容された収容物の少なくとも一部を袋体５から直下領域に向けて落とす。
【００５６】
２−３．効果の例
フレキシブルコンテナバッグ２０１は、第１実施形態と同様の基本的効果に加え、以下の効果も得られる。
【００５７】
フレキシブルコンテナバッグ２０１は、吊り下げ状態において底部５Ｂが破かれた開放状態又は底部５Ｂが切断された開放状態のときに、垂れ下がり部２１０が袋体５の内部から底部５Ｂの開放部を介して下方に垂れ下がりつつ直下領域を囲むように配置される。よって、底部５Ｂが破かれたり切断されたりして開放された場合に、収容領域の直下の領域よりも外側に内容物が飛散することを抑えながら、内容物を落とすことができる。しかも、底部５Ｂが破かれたり切断されたりする前は、本体部２０２内に垂れ下がり部２１０を収容した状態で管理することができる。
【００５８】
[第３実施形態]
３−１．フレキシブルコンテナバッグの構成
第３実施形態に係るフレキシブルコンテナバッグ３０１等について説明する。
図９で示すフレキシブルコンテナバッグ３０１（以下、単にバッグ３０１ともいう）は、主に、本体部３０２と垂れ下がり部３１０とを有する。本体部３０２は、第１実施形態のバッグ１の本体部２と同一の構成をなす。本体部３０２は、開口部５Ｃと底部５Ｂとを具備する袋体５と、袋体５と一体的に設けられる吊り下げ部８０と、を備える。本体部３０２は、図１０のように吊り下げ部８０が支持されつつ袋体５が吊り下げられた吊り下げ状態のときに開口部５Ｃが上方側とされ底部５Ｂが下方側とされるものである。袋体５は、第１実施形態のバッグ１の袋体５と同一の構成をなす。吊り下げ部８０は、第１実施形態のバッグ１の吊り下げ部８０と同一の構成をなす。
【００５９】
垂れ下がり部３１０は、図１０のように本体部３０２が吊り下げ状態となり且つ自身が正規の使用状態となったとき（底部５Ｂが開放されて本体部３０２から下方に垂れ下がる状態となったとき）に袋体５内の収容領域の直下領域を囲むように垂れ下がるものである。
【００６０】
図９のように、垂れ下がり部３１０は、本体部３０２の内部に固定された構成をなす。そして、底部５Ｂは、排出の際に破かれる対象部位又は切断される対象部位となっている。垂れ下がり部３１０は、図１０のような使用状態（吊り下げ状態において底部５Ｂが破かれた開放状態又は底部５Ｂが切断された開放状態）のときに、袋体５の内部から底部５Ｂの開放部を介して下方に垂れ下がりつつ直下領域（袋体５の収容領域の直下の領域）を囲むように配置される。
【００６１】
垂れ下がり部３１０は、可撓性を有し、一端側が本体部３０２の内面部に対して直接的に又は他部材を介して間接的に取り付けられるシート体３１２を有する。垂れ下がり部３１０は、少なくとも図１０のような使用状態（吊り下げ状態において底部５Ｂが開放した状態）のときに、シート体３１２が袋体５の下方に垂れ下がりつつ上記直下領域を囲む構成となっている。
【００６２】
３−２．排出方法
次に、フレキシブルコンテナバッグ３０１を用いた排出方法を説明する。
フレキシブルコンテナバッグ３０１を用いた排出方法でも、主に、吊り下げ工程と、準備工程と、開放工程と、を行う。
【００６３】
吊り下げ工程では、本体部３０２の吊り下げ部８０を支持しつつ袋体５を吊り下げ、収容領域の下方側に底部５Ｂを配置した吊り下げ状態とする。準備工程では、垂れ下がり部３１０を本体部３０２に取り付ける工程を行う。準備工程では、本体部３０２の内面部に対して垂れ下がり部３１０を直接的に又は他部材を介して間接的に取り付ける。具体的には、シート体３１２の一端を本体部３０２の内面部に取り付ける。この準備工程は、吊り下げ工程の前に行ってもよく、吊り下げ工程の後に行ってもよく、吊り下げ工程と並行して行ってもよい。実際は、吊り下げ工程の前に予め行っておくことが望ましい。開放工程は、吊り下げ工程及び準備工程の後に袋体５の底部５Ｂを開放する工程である。この開放工程では、直下領域の下方に垂れ下がり部３１０を垂らしつつ垂れ下がり部３１０によって直下領域を囲んだ状態で袋体５に収容された収容物の少なくとも一部を袋体５から直下領域に向けて落とす。なお、図１０は、収容物を落としている途中の様子を概念的に示している。この開放工程では、袋体５の底部５Ｂを切る工程又は底部５Ｂを破る工程により底部５Ｂを開放し、切る工程又は破る工程によって生じた底部５Ｂの開放部を介して垂れ下がり部１０を直下領域の下方に垂らしつつ垂れ下がり部３１０によって直下領域を囲んだ状態で袋体５に収容された収容物の少なくとも一部を袋体５から直下領域に向けて落とす。
【００６４】
３−３．効果の例
フレキシブルコンテナバッグ３０１を用いる場合でも、第１実施形態及び第２実施形態と同様の特徴をなす部分については同様の効果が得られる。
【００６５】
[第４実施形態]
第４実施形態に係るフレキシブルコンテナバッグ４０１等について説明する。
図１１で示すフレキシブルコンテナバッグ４０１（以下、単にバッグ４０１ともいう）は、主に、本体部４０２と垂れ下がり部４１０とを有する。本体部４０２は、第１実施形態のバッグ１の本体部２と同一の構成をなす。本体部４０２は、開口部５Ｃと底部５Ｂとを具備する袋体５と、袋体５と一体的に設けられる吊り下げ部８０と、を備える。本体部４０２は、図１１のように吊り下げ部８０が支持されつつ袋体５が吊り下げられた吊り下げ状態のときに開口部５Ｃが上方側とされ底部５Ｂが下方側とされるものである。袋体５は、第１実施形態のバッグ１の袋体５と同一の構成をなす。吊り下げ部８０は、第１実施形態のバッグ１の吊り下げ部８０と同一の構成をなす。垂れ下がり部４１０は、図３で示す垂れ下がり部１０と同様の構成をなし、更に、「本体部４０２に対して着脱可能とされた別部品である」という特徴を有している。垂れ下がり部４１０において、シート体４１２は、第１実施形態で用いるシート体１２と同一の構成をなし、複数の帯状部４１４は、第１実施形態で用いる複数の帯状部１４と同一の構成をなす。
【００６６】
フレキシブルコンテナバッグ４０１を用いる場合でも、第１〜第３実施形態と同様の特徴をなす部分については同様の効果が得られる。
【００６７】
[第５実施形態]
第５実施形態に係るフレキシブルコンテナバッグ５０１等について説明する。
図１２で示すフレキシブルコンテナバッグ５０１（以下、単にバッグ５０１ともいう）は、主に、本体部５０２と垂れ下がり部５１０とを有する。本体部５０２は、第１実施形態のバッグ１の本体部２と同一の構成をなす。本体部５０２は、開口部５Ｃと底部５Ｂとを具備する袋体５と、袋体５と一体的に設けられる吊り下げ部８０と、を備える。本体部５０２は、図１１のように吊り下げ部８０が支持されつつ袋体５が吊り下げられた吊り下げ状態のときに開口部５Ｃが上方側とされ底部５Ｂが下方側とされるものである。袋体５は、第１実施形態のバッグ１の袋体５と同一の構成をなす。吊り下げ部８０は、第１実施形態のバッグ１の吊り下げ部８０と同一の構成をなす。
【００６８】
垂れ下がり部５１０は、本体部５０２の外面部５Ａに対して直接的に又は他部材を介して間接的に取り付けられる帯状部１４を複数有する。そして、垂れ下がり部５１０は、図１２のような使用状態（少なくとも吊り下げ状態において底部５Ｂが開放した状態）のときに、複数の帯状部５１４の各々が袋体５の下方に垂れ下がり、複数の帯状部５１４が上記直下領域を囲む構成となっている。
【００６９】
フレキシブルコンテナバッグ５０１を用いる場合でも、第１〜第４実施形態と同様の特徴をなす部分については同様の効果が得られる。
【００７０】
[第６実施形態]
第６実施形態に係るフレキシブルコンテナバッグ６０１等について説明する。
図１３で示すフレキシブルコンテナバッグ６０１（以下、単にバッグ６０１ともいう）は、主に、本体部６０２と垂れ下がり部６１０とを有する。本体部６０２は、第１実施形態のバッグ１の本体部２と同一の構成をなす。本体部６０２は、開口部５Ｃと底部５Ｂとを具備する袋体５と、袋体５と一体的に設けられる吊り下げ部８０と、を備える。本体部６０２は、図１３のように吊り下げ部８０が支持されつつ袋体５が吊り下げられた吊り下げ状態のときに開口部５Ｃが上方側とされ底部５Ｂが下方側とされるものである。袋体５は、第１実施形態のバッグ１の袋体５と同一の構成をなす。吊り下げ部８０は、第１実施形態のバッグ１の吊り下げ部８０と同一の構成をなす。
【００７１】
垂れ下がり部６１０は、本体部６０２の外面部５Ａに対して直接的に又は他部材を介して間接的に取り付けられるシート体６１２を有する。そして、垂れ下がり部６１０は、図１３のような使用状態（少なくとも吊り下げ状態において底部５Ｂが開放した状態）のときに、シート体６１２が袋体５の下方に垂れ下がり、上記直下領域を囲む構成となっている。
【００７２】
フレキシブルコンテナバッグ６０１を用いる場合でも、第１〜第４実施形態と同様の特徴をなす部分については同様の効果が得られる。
【００７３】
[第７実施形態]
第７実施形態に係るフレキシブルコンテナバッグ７０１等について説明する。
図１４で示すフレキシブルコンテナバッグ７０１（以下、単にバッグ７０１ともいう）は、主に、本体部７０２と垂れ下がり部７１０とを有する。本体部７０２は、第１実施形態のバッグ１の本体部２と同一の構成をなす。本体部７０２は、開口部５Ｃと底部５Ｂとを具備する袋体５と、袋体５と一体的に設けられる吊り下げ部８０と、を備える。本体部７０２は、図１４のように吊り下げ部８０が支持されつつ袋体５が吊り下げられた吊り下げ状態のときに開口部５Ｃが上方側とされ底部５Ｂが下方側とされるものである。袋体５は、第１実施形態のバッグ１の袋体５と同一の構成をなす。吊り下げ部８０は、第１実施形態のバッグ１の吊り下げ部８０と同一の構成をなす。
【００７４】
垂れ下がり部７１０は、本体部７０２の外面部５Ａに対して直接的に又は他部材を介して間接的に取り付けられるシート体７１２を有する。そして、垂れ下がり部７１０は、図１４のような使用状態（少なくとも吊り下げ状態において底部５Ｂが開放した状態）のときに、シート体７１２が袋体５の下方に垂れ下がり、上記直下領域を部分的に囲む構成となっている。
【００７５】
フレキシブルコンテナバッグ７０１を用いる場合でも、第１〜第４実施形態と同様の特徴をなす部分については同様の効果が得られる。
【００７６】
＜他の実施形態＞
本発明は上記記述及び図面によって説明した実施形態に限定されるものではなく、例えば次のような例も本発明の技術的範囲に含まれる。
【００７７】
上述した実施形態では、垂れ下がり部を本体部に取り付ける例を示したが、いずれの実施形態でも、垂れ下がり部を本体部と一体的に構成してもよい。
【符号の説明】
【００７８】
１，２０１，３０１，４０１，５０１，６０１，７０１…フレキシブルコンテナバッグ
２，２０２，３０２，４０２，５０２，６０２，７０２…本体部
５…袋体
５Ａ…外面部
５Ｂ…底部
１０，２１０，３１０，４１０，５１０，６１０，７１０…垂れ下がり部
１２，３１２，４１２…シート体
１４，２１４，４１４，５１４…帯状部
８０…吊り下げ部
【図１】
2020138737.tif 000003
【図２】
2020138737.tif 000004
【図３】
2020138737.tif 000005
【図４】
2020138737.tif 000006
【図５】
2020138737.tif 000007
【図６】
2020138737.tif 000008
【図７】
2020138737.tif 000009
【図８】
2020138737.tif 000010
【図９】
2020138737.tif 000011
【図１０】
2020138737.tif 000012
【図１１】
2020138737.tif 000013
【図１２】
2020138737.tif 000014
【図１３】
2020138737.tif 000015
【図１４】
2020138737.tif 000016
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記本体部は、前記底部と、前記吊り下げ状態で前記袋体の内部に収容物が収容されているときに前記底部の上側に配置され且つ前記収容物の周囲を囲むように配置される部分である外面部と、を備え、
前記垂れ下がり部は、前記本体部の前記外面部に対して固定又は一体化された構成、又は、前記本体部の前記外面部に対して外側から着脱自在とされた構成をなす
フレキシブルコンテナバッグ。
【請求項２】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の内部に固定された構成又は前記本体部の内部に取り付けられる構成をなし、
前記底部は、排出の際に破かれる対象部位又は切断される対象部位であり、
前記垂れ下がり部は、前記吊り下げ状態において前記底部が破かれた開放状態又は前記底部が切断された開放状態のときに、前記袋体の内部から前記底部の開放部を介して下方に垂れ下がりつつ前記直下領域を囲むように配置される
フレキシブルコンテナバッグ。
【請求項３】
前記垂れ下がり部は、可撓性を有し、一端側が前記本体部の外面部又は内面部に対して直接的に又は他部材を介して間接的に取り付けられるシート体を有し、
前記垂れ下がり部は、少なくとも前記吊り下げ状態において前記底部が開放した状態のときに、前記シート体が前記袋体の下方に垂れ下がりつつ前記直下領域を囲む
請求項１又は請求項２に記載のフレキシブルコンテナバッグ。
【請求項４】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の外面部に対して固定又は一体化され、又は、前記本体部に対して外側から着脱自在とされ、
前記垂れ下がり部は、前記本体部の外面部又は内面部に対して直接的に又は他部材を介して間接的に取り付けられる帯状部を複数有し、
前記垂れ下がり部は、少なくとも前記吊り下げ状態において前記底部が開放した状態のときに、複数の前記帯状部の各々が前記袋体の下方に垂れ下がり、複数の前記帯状部が前記直下領域を囲む
フレキシブルコンテナバッグ。
【請求項５】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、
前記本体部が前記吊り下げ状態のときに前記袋体内の収容領域の直下領域を囲むように垂れ下がる垂れ下がり部と、
を有し、
前記垂れ下がり部は、前記本体部の外面部に対して固定又は一体化され、又は、前記本体部に対して外側から着脱自在とされ、
前記垂れ下がり部は、可撓性を有し、一端側が前記本体部の外面部又は内面部に対して直接的に又は他部材を介して間接的に取り付けられるシート体を有し、一端側が前記シート体に取り付けられる帯状部を複数有し、
少なくとも前記吊り下げ状態において前記底部が開放した状態のときに、前記シート体が前記袋体の下方に垂れ下がりつつ前記直下領域を囲み、且つ、複数の前記帯状部の各々が前記シート体の下方に垂れ下がり、複数の前記帯状部が前記直下領域を囲む
フレキシブルコンテナバッグ。
【請求項６】
請求項１から請求項５のいずれか一項に記載のフレキシブルコンテナバッグを用い、
前記本体部の前記吊り下げ部を支持しつつ前記袋体を吊り下げ、前記収容領域の下方側に前記底部を配置した前記吊り下げ状態とする吊り下げ工程と、
前記垂れ下がり部を前記本体部に取り付ける工程又は前記垂れ下がり部を前記本体部と一体的に構成する工程を含む準備工程と、
前記吊り下げ工程及び前記準備工程の後に前記袋体の前記底部を開放し、前記直下領域の下方に前記垂れ下がり部を垂らしつつ前記垂れ下がり部によって前記直下領域を囲んだ状態で前記袋体に収容された収容物の少なくとも一部を前記袋体から前記直下領域に向けて落とす開放工程と、
を行うフレキシブルコンテナバッグ内の収容物の排出方法。
【請求項７】
前記垂れ下がり部は、前記袋体とは別体として構成されたものであり、
前記準備工程では、前記本体部の外面部に対して前記垂れ下がり部を取り付ける
請求項６に記載のフレキシブルコンテナバッグ内の収容物の排出方法。
【請求項８】
前記準備工程では、前記本体部の内面部に対して前記垂れ下がり部を直接的に又は他部材を介して間接的に取り付け、
前記開放工程では、前記袋体の前記底部を切る工程又は前記底部を破る工程により前記底部を開放し、前記切る工程又は前記破る工程によって生じた前記底部の開放部を介して前記垂れ下がり部を前記直下領域の下方に垂らしつつ前記垂れ下がり部によって前記直下領域を囲んだ状態で前記袋体に収容された収容物の少なくとも一部を前記袋体から前記直下領域に向けて落とす
請求項６に記載のフレキシブルコンテナバッグ内の収容物の排出方法。
【請求項９】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、前記本体部が前記吊り下げ状態のときに前記袋体内の収容領域の直下領域を囲むように垂れ下がる垂れ下がり部と、を有し、前記垂れ下がり部が、前記本体部の外面部に対して固定又は一体化された、又は、前記本体部に対して外側から着脱自在とされたフレキシブルコンテナバッグを用い、
前記本体部の前記吊り下げ部を支持しつつ前記袋体を吊り下げ、前記収容領域の下方側に前記底部を配置した前記吊り下げ状態とする吊り下げ工程と、
前記垂れ下がり部を前記本体部に取り付ける工程又は前記垂れ下がり部を前記本体部と一体的に構成する工程を含む準備工程と、
前記吊り下げ工程及び前記準備工程の後に前記袋体の前記底部を開放し、前記直下領域の下方に前記垂れ下がり部を垂らしつつ前記垂れ下がり部によって前記直下領域を囲んだ状態で前記袋体に収容された収容物の少なくとも一部を前記袋体から前記直下領域に向けて落とす開放工程と、
を行い、
前記準備工程では、前記本体部の内面部に対して前記垂れ下がり部を直接的に又は他部材を介して間接的に取り付け、
前記開放工程では、前記袋体の前記底部を切る工程又は前記底部を破る工程により前記底部を開放し、前記切る工程又は前記破る工程によって生じた前記底部の開放部を介して前記垂れ下がり部を前記直下領域の下方に垂らしつつ前記垂れ下がり部によって前記直下領域を囲んだ状態で前記袋体に収容された収容物の少なくとも一部を前記袋体から前記直下領域に向けて落とす
フレキシブルコンテナバッグ内の収容物の排出方法。
【請求項１０】
開口部と底部とを有する袋体と、前記袋体と一体的に設けられる吊り下げ部と、を備え、前記吊り下げ部が支持されつつ前記袋体が吊り下げられた吊り下げ状態のときに前記開口部が上方側とされ前記底部が下方側とされる本体部と、を有するフレキシブルコンテナバッグに用いられる飛散防止部材であって、
前記本体部は、前記底部と、前記吊り下げ状態で前記袋体の内部に収容物が収容されているときに前記底部の上側に配置され且つ前記収容物の周囲を囲むように配置される部分である外面部と、を備え、
前記本体部の前記外面部に対して外側から着脱自在とされた垂れ下がり部を有し、
前記垂れ下がり部は、前記本体部が前記吊り下げ状態のときに前記袋体内の収容領域の直下領域を囲むように垂れ下がった状態で配置される
フレキシブルコンテナバッグ用の飛散防止部材。